(57)【要約】【課題】液体が過剰に補給された場合に余分な液体を確実に排出することが可能な液体排出装置を提供する。【解決手段】液体５を貯める液体容器１と、その液体容器１に液体５を補給する液体補給手段６とを備え、さらに液体容器１の液面がある一定以上の場合に余分な液体５を排出できる機能を有する液体排出ポンプ１１を備え、液体５を補給している最中は、前記液体排出ポンプ１１を駆動させる。【選択図】　　　図１
2004060467.tif 000002
【特許請求の範囲】
【請求項１】
液体を貯める液体容器と、その液体容器に液体を補給する液体補給手段とを備え、さらに液体容器の液面がある一定以上の場合に余分な液体を排出できる機能を有する液体排出ポンプを備え、液体を補給している最中は、前記液体排出ポンプを駆動させることを特徴とする液体排出装置。
【請求項２】
液体を貯める液体容器と、その液体容器への液体の補給動作と液体容器の液面がある一定以上の場合の余分な液体の排出動作とを同時に実行できる機能を有する液体補給・排出ポンプを備えたことを特徴とする液体排出装置。
【請求項３】
請求項１記載の液体排出装置において、液体の補給能力よりも液体の排出能力を大きくしたことを特徴とする液体排出装置。
【請求項４】
請求項２記載の液体排出装置において、液体の補給能力よりも液体の排出能力を大きくしたことを特徴とする液体排出装置。
【発明の詳細な説明】
【０００１】
【発明の属する技術分野】
本発明は、液体を貯める容器に液体を補給する際に、液面がある一定液面以上となった場合、余分な液体を排出する液体排出装置に関する。特に液体の粘性が比較的大きく、重力に依る自然排出ができない場合や液体の補給量が大量である場合に有効な技術に関するものである。
【０００２】
【従来の技術】
図３は従来例に係る液体排出装置の構成図である。従来の液体排出装置において、液体５は、その補給源（図示は省略）から、液体補給管２を通って液体補給手段６によって補給されて、補給先である液体容器１に導かれている。液体補給手段６は、液体５の補給源が高い位置の場合は単なる弁であってもよいし、補給源の位置が低い場合には圧送力を生成するポンプ等の形態となっている。
そして、この液体補給手段６は、液体ハイレベル検知手段７や液体ローレベル検知手段８によって検知した液体のレベル情報によって制御されることもある。液体容器１に貯められた液体５は、必要に応じて、液体供給管４を通って排出されて使用される。
また、液体補給手段６によって、液体が過分に補給された場合に、液体５が液体容器１から溢れたり、こぼれたりしないように、余分な液体を自動的に排出するための液体オーバーフロー管３が備えられている。
【０００３】
【発明が解決しようとする課題】
しかしながら、上記従来の液体排出装置においては、特に粘性の比較的大きい液体を扱う場合や液体補給量が大量である場合等に、液体ハイレベル検知手段７が無いシステム構成のとき、あるいは液体ハイレベル検知手段７が故障しているとき、さらには液体補給手段６の弁やポンプが故障して液体を補給しっ放し状態となったときには、液体補給が過剰にされてしまい、液体オーバーフロー管３に依る余分な液体５の排出が追いつかなくて液体５が液体容器１から溢れたり、こぼれたりしてしまう問題がある。
本発明は、このような問題点を解決するためになされたものであり、液体が過剰に補給された場合に余分な液体を確実に排出することが可能な液体排出装置を提供することを目的とする。
【０００４】
【課題を解決するための手段】
上記目的を達成するために、請求項１記載の発明は、液体を貯める液体容器と、その液体容器に液体を補給する液体補給手段とを備え、さらに液体容器の液面がある一定以上の場合に余分な液体を排出できる機能を有する液体排出ポンプを備え、液体を補給している最中は、前記液体排出ポンプを駆動させる液体排出装置を最も主要な特徴とする。
請求項２記載の発明は、液体を貯める液体容器と、その液体容器への液体の補給動作と液体容器の液面がある一定以上の場合の余分な液体の排出動作を同時にできる機能を有する液体補給・排出ポンプを備えた液体排出装置を最も主要な特徴とする。
請求項３記載の発明は、請求項１記載の液体排出装置において、液体の補給能力よりも液体の排出能力を大きくした液体排出装置を主要な特徴とする。
請求項４記載の発明は、請求項２記載の液体排出装置において、液体の補給能力よりも液体の排出能力を大きくした液体排出装置を主要な特徴とする。
【０００５】
【発明の実施の形態】
以下に図面を参照しながら、本発明の実施の形態について説明する。図１は本発明の第１の実施の形態に係る液体排出装置の構成図である。本液体排出装置において、液体５は、その補給源（図示は省略）から、液体補給管２を通って液体補給手段６によって補給されて、補給先である液体容器１に導かれている。液体補給手段６は、液体５の補給源が高い位置の場合は弁となっていたり、そうでない場合はポンプ等の形態となっている。
そして、この液体補給手段６は、液体容器１の側壁に設けた液体ハイレベル検知手段７や液体ローレベル検知手段８によって検知した液体の液面についてのレベル情報によって制御されることもある。液体容器１に貯められた液体５は、必要に応じて、液体供給管４を通って排出されて使用される。
また、液体補給手段６によって、液体が過分に補給された場合に、液体５が液体容器１から溢れたり、こぼれたりしないように、余分な液体を自動的に排出するための液体オーバーフロー管３が備えられている。
【０００６】
本実施の形態では、液体オーバーフロー管３の中間に液体排出ポンプ１１が備えられている。液体補給手段６（弁やポンプ等）が動作して液体５を供給している最中は液体排出ポンプ１１を駆動させる。同ポンプ１１によって、液体５が過剰に補給された場合に余分な液体５は、液体オーバーフロー管３からの重力のみに依る自然排出よりも効率良く排出することができる。
通常の場合は、もちろん液面のレベルは、液体オーバーフロー管３よりも低いので、液体５は排出されず、液体排出ポンプ１１が空回りするか、雰囲気気体（空気）が排出される。
さらに余分な液体５を確実に排出するためには、液体５の補給能力よりも液体５の排出能力を大きくすることが有効である。この具体的な実施例としては、液体オーバーフロー管３の管の内径を大きくしたり、管の本数を増やしたり、液体排出ポンプ１１を強力なものにすることが考えられる。
【０００７】
図２は本発明の第２の実施の形態に係る液体排出装置の構成図である。本実施の形態では、液体補給・排出ポンプ１２が備えられている。液体５は、その補給源（図示は省略）から、液体補給管２を通って液体補給・排出ポンプ１２によって補給されて、補給先である液体容器１に導かれている。
そして、液体容器１には、液体ハイレベル検知手段７や液体ローレベル検知手段８が備えられている。液体容器１に貯められた液体５は、必要に応じて、液体供給管４を通って使用される。
また、液体補給・排出ポンプ１２によって、液体が過分に補給された場合に、液体５が液体容器１から溢れたり、こぼれたりしないように、余分な液体を自動的に排出するための液体オーバーフロー管３が備えられている。
液体補給・排出ポンプ１２が動作中は、補給管２からの液体５の補給と同時に管３からの液体５の排出も可能である。同ポンプ１２によって、液体５が過剰に補給された場合に余分な液体５は、重力に依る自然排出よりも効率良く排出することができる。
通常の場合は、もちろん液面のレベルは、液体オーバーフロー管３よりも低いので、液体５は補給されるのみで排出はされない。雰囲気気体（空気）が排出される。
【０００８】
以下、液体補給・排出ポンプ１２の一例の仕組みを説明する。液体補給・排出ポンプ１２の動作は図示されるカムの一定方向の回転である。同カムが矢印方向（反時計方向）に回転する。
カムは可撓性を有した液体補給管２を部分的に圧迫して、回転と共にその圧迫位置を右から左へ移動していく。この回転によって、液体補給管２においては、管内部の液体が右から左方向へ移動し、液体５は、液体補給管２を通って液体容器１に補給される。
また、同様に、可撓性を有した液体オーバーフロー管３においては、カムの回転によって管内部の液体５あるいは空気が左から右方向へ移動し、管内部の液体５あるいは空気は、液体オーバーフロー管３を通って排出される。
各管２，３の内部に示されている液体補給弁９と液体排出弁１０は、補給と排出の各動作を各管内の流体の動きを一方向にすることで、より効率的に行うためのものである。
さらに余分な液体５を確実に排出するためには、液体の補給能力よりも液体の排出能力を大きくすることが有効である。この具体的な実施例としては、液体オーバーフロー管３の管の内径を大きくしたり、管の本数を増やしたり、液体補給・排出ポンプ１２を強力なものにすることが考えられる。
以上説明したように、本実施形態によれば、液体補給が過剰にされた場合でも、液体オーバーフロー管３によって、余分な液体５を確実に排出することができ、液体５が液体容器１から溢れたり、こぼれたりしてしまう問題を解消することができる。
【０００９】
【発明の効果】
請求項１および請求項３の発明によれば、液体の補給中は液体排出ポンプを駆動するので、液体が過剰に補給された場合にも余分な液体を確実に排出することができる。
請求項２および請求項４の発明によれば、液体の補給動作と余分な液体の排出動作を液体補給・排出ポンプで同時に行えるので、液体が過剰に補給された場合にも余分な液体を確実に排出することができる。
【図面の簡単な説明】
【図１】本発明の第１の実施の形態に係る液体排出装置の構成図である。
【図２】本発明の第２の実施の形態に係る液体排出装置の構成図である。
【図３】従来例に係る液体排出装置の構成図である。
【符号の説明】
１　液体容器、５　液体、６　液体補給手段、１１　液体排出ポンプ、１２　液体補給・排出ポンプ
【図１】
2004060467.tif 000003
【図２】
2004060467.tif 000004
【図３】
2004060467.tif 000005